(57)【要約】【課題】  発光部２を移動させることなく照射範囲を変更することができ、且つ、光軸方向に薄型化することができるストロボ装置１を提供する。【解決手段】  本発明に係るストロボ装置１は、光源３ａ，３ｂ，３ｃと該光源３ａ，３ｂ，３ｃから発光される発光光Ｌａ，Ｌｂ，Ｌｃを透過させるための光学レンズ４ａ，４ｂ，４ｃとを有する複数の発光部２ａ，２ｂ，２ｃを備え、発光部２ａ，２ｂ，２ｃは、発光光Ｌａ，Ｌｂ，Ｌｃの光量をそれぞれ独立して制御可能であり、それぞれの発光光Ｌａ，Ｌｂ，Ｌｃの照射範囲が重複するように配置されていることを特徴とする。【選択図】  図１
2011034018.tif 000002
【特許請求の範囲】
【請求項１】
光源と、該光源から発光される発光光を透過させるための光学レンズとを有する発光部を備えるストロボ装置において、発光部を複数備え、それぞれの発光部は、それぞれの光源が発光する発光光の光量をそれぞれ独立して制御可能であり、それぞれの光源から発光された発光光がそれぞれに備わる光学レンズを透過することによって他の発光部の光学レンズを透過する発光光の照射範囲と重複する照射範囲となるように配置されることを特徴とするストロボ装置。
【請求項２】
前記発光部は、前記それぞれに備えられる光学レンズによって、前記それぞれの光源の光軸を偏向させることを特徴とする請求項１記載のストロボ装置。
【請求項３】
他の発光部によって照射される照射範囲よりも内側の照射範囲に対応した発光部の照射光量が、他の発光部の照射光量が増加した場合には、該発光部の光量を減少、若しくは、消灯させ、他の発光部の照射光量が減少した場合には、該発光部の光量を増加させることを特徴とする請求項１又は２記載のストロボ装置。
【請求項４】
前記発光部によって照射される光量の関係は、すべての発光部によって照射される発光光の光量をすべて増加させることを含む請求項１〜３のいずれかに記載のストロボ装置。
【請求項５】
撮影装置に搭載された撮影レンズの焦点制御機構からの情報によって、撮影画面内の主被写体の位置を認識し、照射範囲毎に光量を制御することを特徴とした請求項１〜４のいずれかに記載のストロボ装置。
【請求項６】
請求項１〜５のいずれかに記載のストロボ装置を備えたことを特徴とする撮影装置。
【発明の詳細な説明】
【技術分野】
【０００１】
本発明は、ストロボ装置に関し、より詳しくは、デジタルカメラやカメラ機能付携帯電話機などの撮像装置と共に用いられ、被写体に発光光を照射するためのストロボ装置に関する。
【背景技術】
【０００２】
近年、デジタルカメラやカメラ機能付携帯電話機の多機能化により、焦点距離を変更可能な光学レンズ（ズームレンズ）が搭載されるようになり、これらに付属して撮影時の補助光源として用いられるストロボ装置にもズーム機能を搭載することが求められるようになっている。
【０００３】
ズーム機能を搭載したストロボ装置は、レンズ焦点距離によって光源と反射部材との間、及び、光源と配光パネルとの間の位置関係を変更することで発光光の照射角を調整することができるように構成されている。例えば、レンズ焦点距離が短い、すなわち、照射角が広角となる場合は、発光光の照射を拡散させるようになっており、レンズ焦点距離が長い、すなわち、照射角が望遠の場合は、発光光の照射を集中させて、遠方まで発光光が届くように照射させるようなっている。そして、光源、反射部材、及び、配光パネルは、レンズ焦点距離に合わせて移動するようになっている（特許文献１参照）。
【先行技術文献】
【特許文献】
【０００４】
【特許文献１】特開平０２−２０７２３０号公報
【特許文献２】特開２００８−１０２１９８号公報
【特許文献３】特表２００８−５２９０９５号公報
【発明の概要】
【発明が解決しようとする課題】
【０００５】
また、デジタルカメラやカメラ機能付携帯電話機の小型化も進んでおり、ストロボ装置に使用できるスペースが限られてきている。このような条件を達成すべく、図４（ａ）及び（ｂ）に示す、従来のストロボ装置５は、光軸の向きが変更可能な複数の発光部６を備え、該発光部６の光軸が平行になるように変更する（同図（ａ）参照）ことで発光光Ｌの照射角を広角域とすることができ、また、光軸を交差させるように変更する（同図（ｂ）参照）ことで発光光Ｌの照射角を望遠域とすることができる（特許文献２参照）。しかし、該ストロボ装置５は、発光部６を移動させなければ、照射角を制御することができず、移動させるためにも装置が必要となることから、小型化が困難であった。
【０００６】
また、図４（ｃ）に示すように、他のストロボ装置７は、平面状に配置された複数の光源８ａ，８ｂ，８ｃと、該光源８ａ，８ｂ，８ｃの前方に照射された発光光Ｌを透過する単一の光学レンズ９とを備え、照射角を広角域にする際には光源８ａ，８ｂ，８ｃを点灯させ、照射範囲を望遠域にする際には、中央に配置された光源群８ｂを照射することにより、照射角を可変することができる。また、ストロボ装置７は、光源８ｃを照射すれば、被写体Ｉに発光光Ｌを照射することができる（特許文献３参照）。しかし、該ストロボ装置７は、単一の光学レンズ９で複数の光源８ａ，８ｂ，８ｃからの発光光を、光源それぞれが対応している照射範囲へ照射していることから、光源８ａ，８ｂ，８ｃと光学レンズ９との離隔距離が必要であり、光軸方向での薄型化が困難であった。
【０００７】
加えて、光源８ａ，８ｂ，８ｃそれぞれの照射範囲間に境界があることから、その境界部分に主被写体が位置した場合に、照明が不十分となる恐れがあった。
【０００８】
従って、本発明は、かかる事情に鑑み、発光部を移動させることなく照射角を変更することができ、且つ、光軸方向に薄型化するとともに、被写体を最適に照明することができるストロボ装置を提供することを目的とする。
【課題を解決するための手段】
【０００９】
本発明のストロボ装置は、光源と、該光源から発光される発光光を透過させるための光学レンズとからなる発光部を複数備えたストロボ装置において、それぞれの発光部は、それぞれの光源が発光する発光光の光量をそれぞれ独立して制御可能であり、それぞれの光源から発光された発光光がそれぞれに備わる光学レンズを透過することによって他の発光部の光学レンズを透過する発光光の照射範囲と重複する照射範囲となるように配置されることを特徴とする。
【００１０】
この構成によれば、それぞれの発光部の照射範囲が、他の発光部から照射される発光光の照射範囲と重複することにより、それぞれの照射範囲を連続的につなぎ合わせることができることから、発光部の照射範囲間の境界をなくすことができる。よって、照射角（撮影画面）内で被写体の位置を問わずに最適な照明が可能となる。
【００１１】
また、照射する発光光の光量をそれぞれの発光部で調整することで、照射角（撮影画面）内の主被写体と、それ以外の背景となる部分とで光量を最適に調整することが可能となる。
【００１２】
従来のストロボ装置、特に単一の発光部で照明する装置では、発光光が主被写体のみに照射されて背景が暗くなってしまい、人の目で見た場合とは異なる写真となることがあったが、本発明に係るストロボ装置によれば、照射範囲毎に最適な光量で照射することが可能となり、撮影画面内に配置された撮影対象までの距離毎に生じる光量の過不足を調整することができる。
【００１３】
更に、この構成によれば、発光光の照射範囲及び光量を発光部の移動によって変更させることなく、光学レンズを光源ごとに配置していることにより、１基あたりの光源と光学レンズとの離隔距離を狭めることができ、光軸方向の薄型化が可能となる。
【００１４】
また、本発明のストロボ装置の発光部は、それぞれに備えられる光学レンズによってそれぞれの光源の光軸を偏向させることを特徴とする。
【００１５】
この構成によれば、各発光部は、それぞれの光学レンズによって光軸を偏向させて、発光光を照射範囲に導くことから、光源の配置（撮影レンズの光軸に対する光源の光軸の角度）を問わずに照射角を変更することが可能となり、ストロボ装置全体の簡易化を可能とする。
【００１６】
また、本発明のストロボ装置は、他の発光部によって照射される照射範囲よりも内側の照射範囲に対応した発光部の照射光量が、他の発光部の照射光量が増加した場合には、該発光部の光量を減少、若しくは、消灯させ、他の発光部の照射光量が減少した場合には、該発光部の光量を増加させることを特徴とする。
【００１７】
一般的に、撮影画面が広角域である場合、主被写体は撮影装置から近距離であることが多く、また、主被写体が撮影画面内で横に並ぶこと（例えば、人物の集合写真など）が多い。上記の構成によって、内側の照射範囲に対応する発光部によって照射される光量を減少、若しくは、消灯させ、撮影画面全体の光量を均一化することにより、人の見た目に近い、自然な照明をすることができる。
【００１８】
他方、撮影画面が標準域から望遠域である場合、主被写体が撮影画面内で占める割合が多くなるが、各発光部の照射範囲間に境界がある構成や、特定の発光部が消灯する構成の場合、主被写体の一部のみが照明された不自然な照明となる恐れがある。
【００１９】
上記の構成によれば、該発光部の光量を他の発光部の光量より増加させて、他の発光部の光量を減少させることで、連続的に照射範囲を可変させ、また、照射距離を可変することができるようになり、撮影画面内で主被写体の位置を問わずに、適切な照明が可能となる。
【００２０】
また、本発明のストロボ装置は、発光部によって照射される光量の関係がすべての発光部によって照射される発光光の光量をすべて増加させることを含めることができる。
【００２１】
この構成によれば、すべての発光部の光量を増加させることで、単一の発光部を照射させるのみでは照射することができない照射距離をさらに延ばすことができる。
【００２２】
また、本発明のストロボ装置は、撮影装置に搭載された撮影レンズの焦点制御機構からの情報によって、撮影画面内の主被写体の位置を認識し、照射範囲毎に光量を制御することを特徴とする。
【００２３】
この構成によれば、被写体の位置や距離に応じて各発光部の発光光量を調整し、撮影画面内で主被写体の位置を問わずに、適切な照明が可能となる。
【発明の効果】
【００２４】
本発明のストロボ装置によれば、発光部を移動させることなく照射角や照射距離を変更することができ、且つ、光軸方向に薄型化することができる。
【図面の簡単な説明】
【００２５】
【図１】本実施形態に係るストロボ装置を模式的に示す概略図
【図２】同実施形態に係るストロボ装置の発光部の照射範囲と被写体の位置を示す概略図
【図３】同実施形態に係るストロボ装置を搭載したカメラ機能付携帯電話機と従来のストロボ装置を搭載したカメラ機能付携帯電話機とを比較する概略図
【図４】従来のストロボ装置を模式的に示す概略図
【発明を実施するための形態】
【００２６】
本発明の本実施形態について、図１〜３を参酌しつつ、説明する。
【００２７】
まず、本実施形態に係るストロボ装置の構成について、図１を参酌しつつ、説明する。ストロボ装置１は、発光光Ｌを照射するための複数の発光部２を備えており、該発光部２は、縦３列、横３列に配列されている。ここで、同図が示す発光部２は、縦２列目の発光部２ａ，２ｂ，２ｃを模式的に表現したものである。以下、縦１列目及び縦３列目の発光部２も同様であるため、説明を省略する。
【００２８】
発光部２ａは、光源３ａと、該光源３ａから発光される発光光Ｌａを透過させるための光学レンズ４ａとを備えている。発光部２ｂ，２ｃについても同様に、光源３ｂ，３ｃと、光学レンズ４ｂ，４ｃとを備えている。それぞれの光源３ａ，３ｂ，３ｃは、通電する電流の大きさによって発光光Ｌの光量を制御可能なＬＥＤであり、それぞれの光軸は、ストロボ装置１のレンズ光軸と略平行になるよう、単一の基板上に配置される。それぞれの光学レンズ４ａ，４ｂ，４ｃは、それぞれの光源３ａ，３ｂ，３ｃから発光された発光光Ｌａ，Ｌｂ，Ｌｃを拡散可能なように配置されている。
【００２９】
また、発光部２ａ，２ｂ，２ｃは、それぞれの光源３ａ，３ｂ，３ｃが発光する発光光Ｌａ，Ｌｂ，Ｌｃの光量をそれぞれ独立して制御可能になっている。また、各発光部２は、発光光Ｌが光学レンズ４によって拡散されて照射されることによって、他の発光部２の光学レンズ４を透過する発光光Ｌの照射範囲と重複した照射範囲となるように配置されている。
【００３０】
具体的には、図１に示すように、ストロボ装置１の外側に配置される発光部２ａは、光源３ａから発光される発光光Ｌａを透過させる光学レンズ４ａが、ストロボ装置１の内側に光軸が変位するようにストロボ装置１の中心方向に傾けて配置されている。また、外側に配置される光学レンズ４ｃについても、同様に配置される。一方、ストロボ装置１の内側に配置される発光部２ｂは、光源３ｂから発光される発光光Ｌｂを透過させる光学レンズ４ｂが、撮影レンズ（図示せず）の光軸に対して垂直になるように配置される。
【００３１】
そして、光源３ａ，３ｃの前面に配置された光学レンズ４ａ，４ｃが、光源３ａ，３ｃの光軸をストロボ装置１の内側（即ち、発光部２ｂの光軸と交わるように）に偏向することで、発光部２ａ，２ｃの照射範囲が発光部２ｂの照射範囲と重複する。なお、図１に矢印で示す範囲は、画角（又は、視野角）を示し、図２についても同様である。
【００３２】
次に、本実施形態に係るストロボ装置１の作用について、図２を参酌しつつ、説明する。まず、被写体を広角域の画角（３５ｍｍ用レンズ換算で、焦点距離約３５ｍｍ相当）で撮影する場合について、同図（ａ）を参酌しつつ説明する。
【００３３】
ストロボ装置１は、発光部２ａ，２ｃの光量を増加させつつ、発光光Ｌａ，Ｌｃを照射する。このとき発光部２ｂは、消灯させる。例えば、略正面に位置する被写体Ａに発光光Ｌａ，Ｌｃを照射する場合、ストロボ装置１は、発光部２ａから照射される照射範囲と発光部２ｃから照射される照射範囲とが互いに重複する範囲に被写体Ａが位置するため、発光部２ａ，２ｃから相互に補われた発光光Ｌａ，Ｌｃの光量を増加させて、被写体Ａに照射し、発光部２ａ，２ｃの一方から照射される発光光Ｌａもしくは発光光Ｌｃを被写体Ａの周囲の背景に照射する。
【００３４】
また、被写体Ａよりも左側に位置する被写体Ｂに発光光Ｌａ，Ｌｂ，Ｌｃを照射する場合、ストロボ装置１は、発光部２ｃから照射する範囲に被写体Ｂが位置するため、発光部２ｃから照射される発光光Ｌｃの光量を増加させて、被写体Ｂに照射し、発光部２ａの光量を発光部２ｃよりも減少させて背景に照射する。よって、ストロボ装置１の正面の光量を下げることができ、被写体Ｂが際立つようになる。
【００３５】
また、被写体Ａよりも右側に位置し、且つ、ストロボ装置１に接近する被写体Ｃに発光光Ｌａ，Ｌｃを照射する場合、発光部２ａから発光される発光光Ｌａの光量を接近に合わせて調整しつつ、被写体Ｃに照射し、発光部２ｃから照射される発光光Ｌｃを発光光Ｌａより増加させて背景に照射する。
【００３６】
次に、被写体を標準域の画角（３５ｍｍ用レンズ換算で、焦点距離約５０ｍｍ相当）で撮影する場合について、同図（ｂ）を参酌しつつ説明する。ストロボ装置１は、すべての発光部２ａ，２ｂ，２ｃの光量を制御しつつ、発光させる。例えば、被写体Ａよりも遠方で略正面に位置する被写体Ｄに発光光Ｌａ，Ｌｂを照射する場合、ストロボ装置１は、被写体Ａよりも遠方に発光光Ｌａ，Ｌｂ，Ｌｃを照射すべく、発光部２ｂから照射される発光光Ｌｂの光量を増加させ、また、発光部２ａ，２ｃから照射される発光光Ｌａ，Ｌｃを被写体Ａに照射した光量より減少させて、被写体Ｄに照射する。また、背景に発光光Ｌａ，Ｌｂ，Ｌｃが照射されすぎないように、発光光Ｌａ，Ｌｃは、被写体Ａを照射したときよりも光量を減少させる。
【００３７】
また、被写体Ｄよりも左側に位置する被写体Ｅに発光光Ｌａ，Ｌｂ，Ｌｃを照射する場合、ストロボ装置１は、発光部２ｃから照射されるＬｃを被写体Ｅに照射し、背景に照射するために、発光部２ａ，２ｂの光量を発光部２ｃよりも減少させて照射する。
【００３８】
また、被写体Ｄよりも右側に位置し、且つ、ストロボ装置１に接近する被写体Ｆに発光光Ｌａ，Ｌｂ，Ｌｃを照射する場合、発光光Ｌａの光量を調整しつつ、被写体Ｆに照射し、発光光Ｌｂ，Ｌｃを発光光Ｌａより増加させて背景に照射する。
【００３９】
次に、被写体を望遠域の画角（３５ｍｍ用レンズ換算で、焦点距離約１０５ｍｍ相当）で撮影する場合について、同図（ｃ）を参酌しつつ説明する。ストロボ装置１は、発光部２ｂの光量を更に増加させつつ、発光させる。なお、光源２ａ，２ｃの照射範囲が画角からほとんど外れるため、消灯する。そして、被写体Ｄよりも更に遠方で略正面に位置する被写体Ｇに発光光Ｌｂを照射する場合、ストロボ装置１は、発光部２ｂから照射された発光光Ｌｂの光量を被写体Ｄに照射したよりも増加させて、被写体Ｇに照射する。また、被写体Ｇよりも更に遠方に位置する被写体Ｈに発光光Ｌを照射する場合、ストロボ装置１は、発光光Ｌｂで不足する光量を補うために、すべての発光部２ａ，２ｂ，２ｃの発光光Ｌａ，Ｌｂ，Ｌｃの光量をすべて増加させて、被写体Ｈに照射する。
【００４０】
よって、本実施形態に係るストロボ装置１は、発光部２ａ，２ｂ，２ｃを移動させることなく被写体に合わせて照射範囲を変更することができる。また、ストロボ装置１は、発光部２ａ，２ｂ，２ｃごとに光源３ａ，３ｂ，３ｃと光学レンズ４ａ，４ｂ，４ｃが備えられているため、光軸方向の離隔距離を狭めることができる。そして、本ストロボ装置１は、図３に示すとおり、従来技術のストロボ装置（同図（ｂ）、（ｃ））を搭載するカメラ機能付携帯電話機と比較して、厚さを薄型化することができる。なお、同図に記載された点線は、カメラ機能付携帯電話機の外形を示す。
【００４１】
なお、本発明に係るストロボ装置は、上記実施形態に限定されるものではなく、本発明の要旨を逸脱しない範囲内において種々変更を加え得ることは勿論である。
【００４２】
例えば、上記実施形態に係るストロボ装置１は、光源３ａ，３ｃから照射される発光光Ｌａ，Ｌｃを光学ガラス４ａ，４ｃで光軸を偏向させる例を説明したが、これに限定されるものではなく、光学ガラス４ａ，４ｃの光軸に合わせて、光源３ａ，３ｃを配置するようにしてもよい。
【００４３】
また、上記実施形態に係るストロボ装置１は、発光部２ａ，２ｂ，２ｃが縦３列、横３列に配置される例を説明したが、これに限定されるものではなく、フィルムの縦横比に合わせて発光部の数を増減させ、または、発光部間のピッチを変更してもよい。
【００４４】
また、上記実施形態に係るストロボ装置１は、光学ガラス４ａ，４ｂ，４ｃを固定する例を説明したが、これに限定されるものではなく、光学ガラスが発光光を偏向する向きを変更できるようになっており、製造誤差などのばらつきを補正することができるものであってもよい。
【００４５】
また、上記実施形態に係るストロボ装置１は、被写体Ａ〜Ｈまでの距離や、被写体Ａ〜Ｈの位置に応じて照射光量の調整を行っているが、更にカメラ付携帯電話機に搭載された撮像素子の制御と連動させ、発光光Ｌａ，Ｌｂ，Ｌｃの
【産業上の利用可能性】
【００４６】
本発明に係るストロボ装置は、発光部を移動させることなく照射範囲を変更することができ、且つ、光軸方向に薄型化することができ、デジタルカメラやカメラ機能付携帯電話機などの撮像装置と共に用いられ、被写体に発光光を照射するためのストロボ装置等として有用である。
【符号の説明】
【００４７】
１  （本発明に係る）ストロボ装置
２，２ａ，２ｂ，２ｃ  発光部
３ａ，３ｂ，３ｃ  光源
４ａ，４ｂ，４ｃ  光学レンズ
５，７  （従来の）ストロボ装置
６，８ａ，８ｂ，８ｃ  （従来の）発光部
９  （従来の）光学レンズ
Ｌ，Ｌａ，Ｌｂ，Ｌｃ  発光光
Ａ，Ｂ，Ｃ，Ｄ，Ｅ，Ｆ，Ｇ，Ｈ  被写体
【図１】
2011034018.tif 000003
【図２】
2011034018.tif 000004
【図３】
2011034018.tif 000005
【図４】
2011034018.tif 000006